(57)【要約】放射線治療等の医療処置に使用するための患者拘束部材が提供される。この拘束部材は、加熱されると、拘束すべき患者の身体部分に対応する形状に付形することができるように軟化し、冷却されると硬化して該付形された形状を保持することができる熱可塑性シートから形成される。このシートには、その付形過程中の収縮を最少限にする互いに離隔したパーフォレーション群が形成されており、それらのパーフォレーション群とパーフォレーション群の間に延長した孔なしバンドが形成されている。孔なしバンドは、付形されたシートに剛性と強度を付与する働きを有する。
2005537114.tif 000002
【特許請求の範囲】
【請求項１】
医療処置に使用するための患者拘束部材であって、
加熱されると、拘束すべき患者の身体部分に対応する形状に付形することができるように軟化し、冷却されると硬化して該付形された形状を保持することができる熱可塑性シートから成り、
該シートには、互いに離隔したパーフォレーション群が形成されており、それらのパーフォレーション群とパーフォレーション群の間に延長した孔なしバンドが形成されていることを特徴とする患者拘束部材。
【請求項２】
前記バンドは、前記シートの周縁部から内方へ延長していることを特徴とする請求項１に記載の患者拘束部材。
【請求項３】
前記バンドは、前記シートの周縁部から内方に離隔した部位において交差していることを特徴とする請求項２に記載の患者拘束部材。
【請求項４】
前記バンドは、前記シートの周縁部に対して直角に延長していることを特徴とする請求項２に記載の患者拘束部材。
【請求項５】
前記バンドは、前記シートの周縁部から非直角の角度に延長していることを特徴とする請求項２に記載の患者拘束部材。
【請求項６】
前記バンドは、前記シートを完全に横切って延長していることを特徴とする請求項２に記載の患者拘束部材。
【請求項７】
前記シートは、パーフォレーションのない周縁部を有していることを特徴とする請求項１に記載の患者拘束部材。
【請求項８】
前記孔なしバンドは、前記シートを横切って延長していることを特徴とする請求項１に記載の患者拘束部材。
【請求項９】
前記孔なしバンドは、前記パーフォレーション群とパーフォレーション群との間のスペースによって画定されていることを特徴とする請求項１に記載の患者拘束部材。
【請求項１０】
医療処置に使用するための患者拘束部材であって、
加熱されると、拘束すべき患者の身体部分に対応する形状に付形することができるように軟化し、冷却されると硬化して該付形された形状を保持することができる、部分的に貫通したパーフォレーションを有する熱可塑性シートから成り、
該シートは、その剛性を高めるために該シートを少くとも部分的に横切って延長した少くとも１つの非孔あきバンドを有していることを特徴とする患者拘束部材。
【請求項１１】
前記バンドは、前記シートの周縁部に対して直角に延長していることを特徴とする請求項１０に記載の患者拘束部材。
【請求項１２】
前記バンドは、前記シートの周縁部に対して非直角の角度で延長していることを特徴とする請求項１０に記載の患者拘束部材。
【請求項１３】
前記シートは、両側縁部と、頂縁部と底縁部を有しており、それらの縁部には、パーフォレーションが形成されていないことを特徴とする請求項１０に記載の患者拘束部材。
【請求項１４】
前記バンドは、前記両側縁部の鋳徒に延長していることを特徴とする請求項１３に記載の患者拘束部材。
【請求項１５】
前記孔なしバンドは、前記シートを完全に横切って延長していることを特徴とする請求項１０に記載の患者拘束部材。
【請求項１６】
前記シートは、その周縁部から内方に延長した複数の非孔あきバンドを有することを特徴とする請求項１０に記載の患者拘束部材。
【請求項１７】
前記バンドは、前記シート上で十字に交差していることを特徴とする請求項１０に記載の患者拘束部材。
【発明の詳細な説明】
【技術分野】
【０００１】
本発明は、放射線治療のための強化熱可塑性プラスチック製患者拘束（固定）具に関する。熱可塑性シートは、強度変調放射線治療（ＩＭＲＴ）等の放射線治療の分野に使用するためのものとしてよく知られている。通常、そのような熱可塑性シートは、加熱され、拘束すべき患者の身体部分に対応する形状（例えば、患者の頭部を拘束するためのマスクの形）に付形される。このシートは、患者を放射線治療のための処置テーブル上に正しく位置づけするのを容易にするために、処置テーブルに固定することができるフレームに取り付けられる。
【背景技術】
【０００２】
従来の熱可塑性シートは、孔なし（ソリッド）シート又は多孔（孔あき）シートである。孔なし熱可塑性シートは、多孔シートに比して所要の形状に付形するのにはるかに大きい力を要し、はるかに多くの熱を保持し、身体形状に合うように付形されるとき過度の収縮をする傾向がある。これらの要素は、すべて、患者の不快感の原因となる。一方、多孔シートのパーフォレーション（多数の孔）は、シートを付形するのに要する力を小さくし、患者に伝わる熱を最少限にし、熱可塑性シート材の収縮を最少限にする働きをする。多孔シートをフェースマスクの形に付形したとき、パーフォレーションは、患者の視野を確保し、シートを通して呼吸することを可能にするので、閉所恐怖感を最少限にするか、あるいは、除去する。これらのパーフォレーションは、シートにパンチによってあけてもよく、あるいは、シートを射出成型によって成型するときに形成してもよい。ただし、シートの全面に孔をあけると、孔なしの、即ち、非孔あき（孔をあけられていない）シートが有する所要の剛性が得られない。
【特許文献１】米国特許第６，１６１，２３７号
【発明の開示】
【発明が解決しようとする課題】
【０００３】
従って、本発明の主要な目的は、ＩＭＲＴを含むいろいろな医療処置に使用するための改良された熱可塑性シートを提供することである。
【０００４】
本発明の他の目的は、パーフォレーションを有し、非孔あき補強バンドを有する改良された熱可塑性シートを提供することである。
【０００５】
本発明の更に他の目的は、高い剛性を有する改良された多孔熱可塑性シートを提供することである。
【０００６】
本発明の更に他の目的は、十分な剛性を有し、かつ、過度の収縮をしない改良された熱可塑性シートを提供することである。
【０００７】
本発明の更に他の目的は、医療処置のために患者に装着されたとき快適な装着感が得られる改良された熱可塑性シートを提供することである。
【０００８】
これらの目的及びその他の目的は、以下の説明から一層明らかになろう。
【課題を解決するための手段】
【０００９】
本発明の改良された熱可塑性シートは、ＩＭＲＴ等の医療処置において患者拘束部材として使用するためのものである。このシートは、頭部、頸部、胸部、臀部／骨盤等のいろいろな身体部分を拘束（固定）するためにいろいろな形態及び形状をとることができる。このシートは、装着したときの患者の快適度を高めるために複数群のパーフォレーションを有し、かつ、剛性を高めるためにそれらのパーフォレーション群と群の間に延長する非孔あきバンドを備えている。これらのパーフォレーションは、又、シートが加熱され、付形され、次いで、冷却されて拘束すべき身体部分に対応する固定（硬化）形状とされるときシートの収縮を最少限にする働きをする。シートの周縁にはパーフォレーションは設けられておらず、孔なし（非孔あき）バンドは、シートの周縁から内方へ延長している。これらのバンドは、シートを完全に横切って延長させてもよく、あるいは、シートを部分的に横切って延長させてもよい。パーフォレーションはシートの収縮を最少限にする働きをするが、これらの孔なしバンドは、シートの剛性を高めるように戦略的な部位に配置される。パーフォレーションは、パンチによってあけてもよく、あるいは、シートを射出成型で成型するときに形成してもよい。
【発明を実施するための最良の形態】
【００１０】
図１には、患者１０が、その頭部に放射線治療を受けるべく処置テーブル１２上に載せられているところが示されている。患者の頭部は、頭部に合致するように付形された本発明による熱可塑性プラスチック製のマスク１４によって拘束（固定）されている。このマスク１４は、処置テーブル１２に任意の好適な態様で固定することができるようになされたフレーム１６に取り付けられる。例えば、テーブル１２は、米国特許第６，１６１，２３７号に記載されているように、フレーム１６から突出した割出部材を受容するようになされた複数の切欠きを有するものとすることができる。
【００１１】
マスク１４は、図２〜５にそれぞれ示された熱可塑性シート２０Ａ、２０Ｂ、２０Ｃ及び２０Ｄの１つから形成される。各シート２０Ａ−２０Ｄは、そのシートを完全に貫通した、又は部分的に貫通したパーフォレーション即ち孔２２の互いに離隔した群を有しており、それらの孔群の間に孔なし（非孔あき）バンド２４が画定される。バンド２４は、シート２０Ａ−２０Ｄすなわちまたマスク１４の剛性を高める働きをする。一方、孔２２は、マスクの付形過程中シートの収縮を最少限にする働きをする。各シート２０Ａ−２０Ｄは、そのシートをＵ字形フレーム１６に固定するための非孔あき周縁２６を有する。別法として、孔群２２は、シート２０Ａ−２０Ｄの縁にまで延長させてもよい。その場合、シートの周縁は、２０Ａ−２０Ｄを例えば接着剤又は熱を用いてフレーム１６に接合するのを容易にする。シート２０Ａ−２０Ｄの非孔あきバンド２４は、周縁２６から内方に延長している。幾つかのバンド２４はシート２０Ａ−２０Ｄを完全に横切って延長し、他のバンド２４はシートを部分的に横切って延長する構成とすることもできる。又、バンド２４は、シートの両側縁、頂縁又は底縁に対して直角に延長させてもよく、あるいは、直角でない斜め方向に延長させてもよい。図５のシート２０Ｄにみられるように、幾つかのバンドをシート上で十字に交差する構成としてもよい。孔２２は、パンチによって形成してもよく、シートを製造するのに用いる射出成型時に形成してもよい。
【００１２】
図６は、頭部と肩部を拘束するために付形することができるように形成された本発明の別の実施形態の熱可塑性シート２８を示す。このシートの孔２２も、やはりシートの収縮を最少限にする働きを有し、孔なしバンド２４は、シートを加熱し、付形し、次いでその形を固定するために冷却したときシートの剛性を高くする働きをする。
【００１３】
図７は、例えば胸部放射線治療において患者の胴体上部を拘束するために付形することができるように形成された本発明の更に別の実施形態の熱可塑性シート３０を示す。このシートも、やはり孔２２と孔なしバンド２４を有する。図８は、同様に孔２２と孔なしバンド２４を有する本発明の更に別の実施形態の熱可塑性シート３２を示す。この実施形態のシートは、臀部／骨盤拘束部材ととして付形することができるように形成されている。シート３０及び３２の周縁に沿って形成されている拡大孔３４は、シートをフレーム（図示せず）に取り付けるのに用いるためのものである。次いで、そのフレームを処置テーブルに取り付ける。
【００１４】
以上、本発明を実施形態に関連して説明したが、本発明は、ここに例示した実施形態の構造及び形状に限定されるものではなく、いろいろな実施形態が可能であり、いろいろな変更及び改変を加えることができることを理解されたい。
【図面の簡単な説明】
【００１５】
【図１】図１は、患者の頭部を拘束するためにマスクの形に付形され、放射線治療テーブル上に取り付けられた本発明の熱可塑性シートの側部立面図である。
【図２】図２は、頭部拘束部材の形に付形することができるようになされた本発明の熱可塑性シートの上からみた平面図である。
【図３】図３は、図２の頭部拘束部材のパーフォレーション群のパターン及び孔なし補強バンドの変型例を示す平面図である。
【図４】図４は、図２の頭部拘束部材のパーフォレーション群のパターン及び孔なし補強バンドの別の変型例を示す平面図である。
【図５】図５は、図２の頭部拘束部材のパーフォレーション群のパターン及び孔なし補強バンドの更に別の変型例を示す平面図である。
【図６】図６は、本発明によるパーフォレーション及び補強バンドを備え、頭部及び肩部拘束部材の形に付形することができるようになされた熱可塑性シートの上からみた平面図である。
【図７】図７は、本発明によるパーフォレーション及び補強バンドを備え、胸部拘束部材の形に付形することができるようになされた熱可塑性シートの上からみた平面図である。
【図８】図８は、本発明によるパーフォレーション及び補強バンドを備え、臀部／骨盤拘束部材の形に付形することができるようになされた熱可塑性シートの上からみた平面図である。
【符号の説明】
【００１６】
１０  患者
１２  処置テーブル
１４  マスク
１６  フレーム
２０Ａ−２０Ｄ  熱可塑性シート
２２  孔
２４  孔なしバンド
２６  周縁
２８，３０，３２  熱可塑性シート
３４  拡大孔
【図１】
2005537114.tif 000003
【図２】
2005537114.tif 000004
【図３】
2005537114.tif 000005
【図４】
2005537114.tif 000006
【図５】
2005537114.tif 000007
【図６】
2005537114.tif 000008
【図７】
2005537114.tif 000009
【図８】
2005537114.tif 000010
【手続補正書】
【提出日】平成16年9月7日(2004.9.7)
【手続補正１】
【補正対象書類名】特許請求の範囲
【補正対象項目名】全文
【補正方法】変更
【補正の内容】
【特許請求の範囲】
【請求項１】
医療処置に使用するための患者拘束部材であって、
加熱されると、拘束すべき患者の身体部分に対応する形状に付形することができるように軟化し、冷却されると硬化して該付形された形状を保持することができる熱可塑性シートから成り、
該熱可塑性シートシートは、付形するのに要する力を小さくし、加熱の際に患者に伝わる熱を最少限にし、熱可塑性材の収縮を最少限にするためにパンチによって又は成型によって形成された、互いに離隔したパーフォレーション群を有しており、それらのパーフォレーション群とパーフォレーション群の間に延長した孔なしバンドを有していることを特徴とする患者拘束部材。
【請求項２】
前記シートは、周縁部を有し、前記バンドは、該周縁部から内方へ延長している請求項１に記載の患者拘束部材。
【請求項３】
前記バンドは、前記シートの周縁部から内方に離隔した部位において交差している請求項２に記載の患者拘束部材。
【請求項４】
前記バンドは、前記シートの周縁部に対して直角に延長している請求項２に記載の患者拘束部材。
【請求項５】
前記バンドは、前記シートの周縁部から非直角の角度に延長している請求項２に記載の患者拘束部材。
【請求項６】
前記バンドは、前記シートを完全に横切って延長している請求項２に記載の患者拘束部材。
【請求項７】
前記シートは、パーフォレーションのない周縁部を有している請求項１に記載の患者拘束部材。
【請求項８】
前記孔なしバンドは、前記シートを横切って延長している請求項１に記載の患者拘束部材。
【請求項９】
前記孔なしバンドは、前記パーフォレーション群とパーフォレーション群との間のスペースによって画定されている請求項１に記載の患者拘束部材。
【国際調査報告】
2005537114.tif 000011
2005537114.tif 000012
2005537114.tif 000013